(57)【要約】      （修正有）【課題】バネ等により一定の圧力を加えてガラスを切る手動の安価なガラス切り工具において、ガラス切り工具の持ち手から手を離すこと無く、カッターチップをガラス表面から上方へ逃げる機構を有し、引き続きカッターチップを下ろしてスクライブラインを入れることのできるガラス切り工具を提供する。【解決手段】カッターチップ５２を対象物に対して一定の圧力で押しつけることのできる手動のガラス切り工具であって、前記カッターチップ５２がカッターヘッド５１に保持されており、前記カッターヘッド５１を移動させるためのハンドル３２を有し、前記ハンドル３２と前記カッターヘッド５１とが支持軸ツバ６２を有するカッターヘッド支持軸６１と軸受けにより接続されており、前記ハンドル３２を回転させることにより前記カッターチップ５２と台盤８との距離を変えられるガラス切り工具を用いる。【選択図】図１
2019194137.tif 000002
【特許請求の範囲】
【請求項１】
カッターチップを対象物に対して一定の圧力で押しつけることのできる手動のガラス切り工具であって、前記カッターチップを移動させるためのハンドルを有し、前記ハンドルを回転させることにより前記カッターチップと台盤との距離を変えられることを特徴とするガラス切り工具
【請求項２】
前記ハンドルと前記カッターチップが軸受により接続されていることを特徴とする請求項１記載のガラス切り工具
【請求項３】
ハンドル支持部材を有し、前記ハンドル支持部材と前記ハンドルとの接地部と前記台盤との距離が、前記ハンドルの回転により変えられることを特徴とする請求項１および請求項２に記載のガラス切り工具
【発明の詳細な説明】
【技術分野】
【０００１】
本発明は、ガラス切り工具に関する。
【背景技術】
【０００２】
ガラス切りは様々な分野で使われているが、工業生産的な分野以外ではガラス切り装置では無くガラス切り工具が便利である。
【０００３】
これらガラス切り工具は工芸用途や研究用途など使われる範囲は幅広い。ペン型の物が主流であるが、研究用途で所望の寸法にカットする場合にはカット精度が悪く、使い勝手も悪い。
【０００４】
ガラスを切る際にはガラスの材質や厚みに対して適切な圧力をカッターチップに加え、一定のスクライブラインを形成する必要があるが、ペン型の場合この圧力は、人間が自分の力加減で調整するため熟練が必要で個人差も大きい。スクライブラインの形成が不良であると、この後の破断の工程でスクライブライン通りに割れず、失敗してしまうことがある。
【０００５】
また、非特許文献１のような研究用ガラス切りは販売されているが、切るガラスの厚みや種類に合わせて、カッターチップをガラスに押しつける圧力を調整する仕組みは持っていない。
【０００６】
空気圧やバネ等を用いてカッターチップをガラスに押しつける圧力を一定にすることは比較的容易である。
【０００７】
一方、スクライブの際、カッターチップは必ずガラスに接触する必要があることから、スクライブラインを入れた後、一旦ガラスを取り除かないとカッターチップを元の位置に戻すことができない。従って、ガラスをずらすだけでスクライブラインを続けて入れることが出来ず、作業効率が悪い。
【０００８】
つまり、ガラスに連続して複数のスクライブラインを入れようとすると、カッターチップでスクライブラインを入れた後、カッターチップを切断開始位置へ戻す際に一旦カッターチップがガラス表面から上方へ逃げる仕組みが必要となり、全体の構造が複雑化し、コストアップの要因となっていた。
【０００９】
このため安価な手動式のガラス切り工具で、機械的に一定の押しつけ圧力をカッターチップに加える仕組みを持ち、かつ、上方へ逃げる仕組みを持つガラス切り工具はこれまで無かった。
【先行技術文献】
【非特許文献】
【００１０】
【非特許文献１】科学機器総合カタログ研究・実験・検査用２０１６−２０１７，東京硝子器械株式会社，ｐ．５４７
【発明の概要】
【発明が解決しようとする課題】
【００１１】
以上のように、バネ等により一定の圧力を加えてガラスを切る手動の安価なガラス切り工具では、連続してスクライブラインを入れる際、その都度ガラスを一旦台盤から外す必要があり、作業効率が悪かった。
【００１２】
本発明は上記に鑑みてなされた物であり、バネ等により一定の圧力を加えてガラスを切る手動の安価なガラス切り工具において、ガラス切り工具のハンドルから手を離すこと無く、カッターチップをガラス表面から上方へ逃げる機構を有し、引き続きカッターチップを下ろしてスクライブラインを入れることのできるガラス切り工具を提供するものである。これにより作業効率を落とすこと無く連続してガラスにスクライブラインを入れることができる。
【課題を解決するための手段】
【００１３】
上記課題を解決するために請求項１の発明は、カッターチップを対象物に対して一定の圧力で押しつけることのできる手動のガラス切り工具であって、前記カッターチップを移動させるためのハンドルを有し、前記ハンドルを回転させることにより前記カッターチップと台盤との距離を変えられることを特徴とするガラス切り工具である。
【００１４】
請求項２の発明は、前記ハンドルと前記カッターチップが軸受により接続されていることを特徴とする請求項１記載のガラス切り工具である。
【００１５】
請求項３の発明は、ハンドル支持部材を有し、前記ハンドル支持部材と前記ハンドルとの接地部と前記台盤との距離が、前記ハンドルの回転により変えられることを特徴とする請求項１および請求項２に記載のガラス切り工具でる。
【発明の効果】
【００１６】
本発明によるガラス切り工具を用いれば、カッターチップを対象物に対して押しつける圧力を一定にでき、かつ、ハンドルを回転させることにより容易にカッターチップをガラス面の上方へ移動させることが出来る。したがって、ガラスを取り外すこと無くカッターチップをスクライブ開始位置まで移動させることができ、連続したスクライブラインを入れることができる。
【図面の簡単な説明】
【００１７】
【図１】本発明によるガラス切り工具を示す部分断面図である。
【図２】本発明によるガラス切り工具を示す部分断面図である。
【図３】本発明によるガラス切り工具のハンドル部を示す平面図である。
【図４】本発明によるガラス切り工具のハンドル部を示す平面図である。
【図５】本発明によるガラス切り工具を示す部分断面図である。
【発明を実施するための形態】
【００１８】
本発明の実施の形態を、以下図面を用いて説明する。
【００１９】
図１は本発明によるガラス切り工具を示す部分断面図である。
【００２０】
図1に示すように本発明によるガラス切り工具はハンドル３２とカッターヘッド５１がカッターヘッド支持軸６１を介して接続されている。接続の方法としてカッターヘッド支持軸６１と一体である支持軸ツバ６２を軸受けでハンドルに接続する仕組みを取る。
【００２１】
このためハンドル３２はカッターヘッド支持軸６１を中心として回転可能な構造となる。
【００２２】
ハンドル３２を上方から見た平面図が図３である。この状態から９０度回転させた状態が図４である。
【００２３】
図３では、ハンドル３２が、ハンドル支持部材３１の台盤８に近い位置に設置しているが、図４ではハンドル３２が突起部３３に乗り上げた状態となり、台盤８から遠い位置に設置している。
【００２４】
この状態を横から見たものが図２に示す部分断面図である。ハンドル３２が突起部３３に乗り上げた分上方に移動し、これによって接続されているカッターヘッド５１が上方に移動することになる。
【００２５】
つまり、ハンドル３２を９０度回転させるとカッターヘッド５１が突起部３３の高さ分上方へ移動するのである。
【００２６】
このことによって、カッターヘッド５１はガラス板７のスクライブ位置から上方へ離れ、ガラス板７を取り除かなくともスクライブ開始位置まで移動させることが出来る。
【００２７】
本発明では、カッターヘッド５１の押しつけ圧力はバネ４で調整する仕組みとなっている。押しつけ圧力を強くしたい場合にはローレットナット３１を回してバネを縮めれば良い。
【００２８】
ガラスカットの手順としては、まず、適度に調整されたバネ圧とカッターヘッド高さの状態で、ハンドル３２を引いてガラス板７上にカッターチップ５２を滑らせてスクライブラインを入れる。
【００２９】
次に、ハンドル３２を９０度回転させカッターヘッド５１を上方へ移動させて、スクライブ開始位置まで戻してからハンドル３２を元の方向に９０度戻して、カッターヘッド５１を元の高さへ戻す。
【００３０】
続いて、ガラス板７を所望の位置にスライドさせた後、再び、ハンドル３２を引いてガラス板７上にカッターチップ５２を滑らせてスクライブラインを入れる。
【００３１】
この操作を繰り返すことで、連続して一定の押しつけ圧力で複数のスクライブラインを入れることができる。
【００３２】
図１ではハンドル支持部材３１に突起部３３があるものを示したが、図５に示すように、ハンドル支持部材３１に溝を掘ってこの部分に鉄球３を載せ、ハンドル３２の回転をよりスムーズにするような仕組みとしても良い。
【００３３】
ハンドル３２とハンドル支持部材３１の形状に関しては、本説明に限らず、回転によって台盤８との距離が変えられる構造になっていればどのような形状でも良い。
【００３４】
また、本発明ではバネ４でカッターヘッド５１を押す際、こすれ防止の意味合いで、ワッシャ５を介して圧力が加わるような仕組みを図示しているが、必ずしもワッシャ５は必須では無く、直接カッターヘッド５１を押す仕組みであっても良いし、ローレットナット２１のこすれ防止のためにバネ４のローレットナット２１側にワッシャ５を入れても構わない。
【００３５】
以上述べたように、本発明は、カッターヘッド５１をガラス板７に対して一定の圧力で押しつける機能を持つ上に、ガラス切り工具のハンドル３２から手を離すこと無く、カッターチップ５２をガラス表面から上方へ逃げる機構を有し、引き続きカッターチップ５２を下ろしてスクライブラインを入れることのできるガラス切り工具を提供するものである。これにより作業効率を落とすこと無く連続してガラス板７にスクライブラインを入れることができ、効率よくガラス板７のカットができる。
【符号の説明】
【００３６】
３  鉄球
４  バネ
５  ワッシャ
７  ガラス板
８  台盤
２１  ローレットナット
２２  中空ネジ
３１  ハンドル支持部材
３２  ハンドル
３３  突起部
５１  カッターヘッド
５２  カッターチップ
６１  カッターヘッド支持軸
６２  支持軸ツバ
【図１】
2019194137.tif 000003
【図２】
2019194137.tif 000004
【図３】
2019194137.tif 000005
【図４】
2019194137.tif 000006
【図５】
2019194137.tif 000007
【手続補正書】
【提出日】令和1年5月14日(2019.5.14)
【手続補正１】
【補正対象書類名】明細書
【補正対象項目名】全文
【補正方法】変更
【補正の内容】
【発明の詳細な説明】
【技術分野】
【０００１】
本発明は、ガラス切り工具に関する。
【背景技術】
【０００２】
ガラス切りは様々な分野で使われているが、工業生産的な分野以外ではガラス切り装置では無くガラス切り工具が便利である。
【０００３】
これらガラス切り工具は工芸用途や研究用途など使われる範囲は幅広い。ペン型の物が主流であるが、研究用途で所望の寸法にカットする場合にはカット精度が悪く、使い勝手も悪い。
【０００４】
ガラスを切る際にはガラスの材質や厚みに対して適切な圧力をカッターチップに加え、一定のスクライブラインを形成する必要があるが、ペン型の場合この圧力は、人間が自分の力加減で調整するため熟練が必要で個人差も大きい。スクライブラインの形成が不良であると、この後の破断の工程でスクライブライン通りに割れず、失敗してしまうことがある。
【０００５】
また、非特許文献１のような研究用ガラス切りは販売されているが、切るガラスの厚みや種類に合わせて、カッターチップをガラスに押しつける圧力を調整する仕組みは持っていない。
【０００６】
空気圧やバネ等を用いてカッターチップをガラスに押しつける圧力を一定にすることは比較的容易である。
【０００７】
一方、スクライブの際、カッターチップは必ずガラスに接触する必要があることから、スクライブラインを入れた後、一旦ガラスを取り除かないとカッターチップを元の位置に戻すことができない。従って、ガラスをずらすだけでスクライブラインを続けて入れることが出来ず、作業効率が悪い。
【０００８】
つまり、ガラスに連続して複数のスクライブラインを入れようとすると、カッターチップでスクライブラインを入れた後、カッターチップを切断開始位置へ戻す際に一旦カッターチップがガラス表面から上方へ逃げる仕組みが必要となり、全体の構造が複雑化し、コストアップの要因となっていた。
【０００９】
このため安価な手動式のガラス切り工具で、機械的に一定の押しつけ圧力をカッターチップに加える仕組みを持ち、かつ、上方へ逃げる仕組みを持つガラス切り工具はこれまで無かった。
【先行技術文献】
【非特許文献】
【００１０】
【非特許文献１】科学機器総合カタログ研究・実験・検査用２０１６−２０１７，東京硝子器械株式会社，ｐ．５４７
【発明の概要】
【発明が解決しようとする課題】
【００１１】
以上のように、バネ等により一定の圧力を加えてガラスを切る手動の安価なガラス切り工具では、連続してスクライブラインを入れる際、その都度ガラスを一旦台盤から外す必要があり、作業効率が悪かった。
【００１２】
本発明は上記に鑑みてなされた物であり、バネ等により一定の圧力を加えてガラスを切る手動の安価なガラス切り工具において、ガラス切り工具のハンドルから手を離すこと無く、カッターチップをガラス表面から上方へ逃げる機構を有し、引き続きカッターチップを下ろしてスクライブラインを入れることのできるガラス切り工具を提供するものである。これにより作業効率を落とすこと無く連続してガラスにスクライブラインを入れることができる。
【課題を解決するための手段】
【００１３】
上記課題を解決するために請求項１の発明は、カッターチップを対象物に対して一定の圧力で押しつけることのできる手動のガラス切り工具であって、前記カッターチップがカッターヘッドに保持されており、前記カッターヘッドを移動させるためのハンドルを有し、前記ハンドルと前記カッターヘッドとが支持軸ツバを有するカッターヘッド支持軸と軸受けにより接続されていることを特徴とするガラス切り工具である。
【００１４】
請求項２の発明は、前記ハンドルを回転させることにより前記カッターチップと台盤との距離を変えられることを特徴とする請求項１記載のガラス切り工具である。
【００１５】
請求項３の発明は、ハンドル支持部材を有し、前記ハンドル支持部材と前記ハンドルとの接地部と前記台盤との距離が、前記ハンドルの回転により変えられることを特徴とする請求項２に記載のガラス切り工具でる。
【発明の効果】
【００１６】
本発明によるガラス切り工具を用いれば、カッターチップを対象物に対して押しつける圧力を一定にでき、かつ、ハンドルを回転させることにより容易にカッターチップをガラス面の上方へ移動させることが出来る。したがって、ガラスを取り外すこと無くカッターチップをスクライブ開始位置まで移動させることができ、連続したスクライブラインを入れることができる。
【図面の簡単な説明】
【００１７】
【図１】本発明によるガラス切り工具を示す部分断面図である。
【図２】本発明によるガラス切り工具を示す部分断面図である。
【図３】本発明によるガラス切り工具のハンドル部を示す平面図である。
【図４】本発明によるガラス切り工具のハンドル部を示す平面図である。
【図５】本発明によるガラス切り工具を示す部分断面図である。
【発明を実施するための形態】
【００１８】
本発明の実施の形態を、以下図面を用いて説明する。
【００１９】
図１は本発明によるガラス切り工具を示す部分断面図である。
【００２０】
図1に示すように本発明によるガラス切り工具はハンドル３２とカッターヘッド５１がカッターヘッド支持軸６１を介して接続されている。接続の方法としてカッターヘッド支持軸６１と一体である支持軸ツバ６２を軸受けでハンドルに接続する仕組みを取る。
【００２１】
このためハンドル３２はカッターヘッド支持軸６１を中心として回転可能な構造となる。
【００２２】
ハンドル３２を上方から見た平面図が図３である。この状態から９０度回転させた状態が図４である。
【００２３】
図３では、ハンドル３２が、ハンドル支持部材３１の台盤８に近い位置に設置しているが、図４ではハンドル３２が突起部３３に乗り上げた状態となり、台盤８から遠い位置に設置している。
【００２４】
この状態を横から見たものが図２に示す部分断面図である。ハンドル３２が突起部３３に乗り上げた分上方に移動し、これによって接続されているカッターヘッド５１が上方に移動することになる。
【００２５】
つまり、ハンドル３２を９０度回転させるとカッターヘッド５１が突起部３３の高さ分上方へ移動するのである。
【００２６】
このことによって、カッターヘッド５１はガラス板７のスクライブ位置から上方へ離れ、ガラス板７を取り除かなくともスクライブ開始位置まで移動させることが出来る。
【００２７】
本発明では、カッターヘッド５１の押しつけ圧力はバネ４で調整する仕組みとなっている。押しつけ圧力を強くしたい場合にはローレットナット３１を回してバネを縮めれば良い。
【００２８】
ガラスカットの手順としては、まず、適度に調整されたバネ圧とカッターヘッド高さの状態で、ハンドル３２を引いてガラス板７上にカッターチップ５２を滑らせてスクライブラインを入れる。
【００２９】
次に、ハンドル３２を９０度回転させカッターヘッド５１を上方へ移動させて、スクライブ開始位置まで戻してからハンドル３２を元の方向に９０度戻して、カッターヘッド５１を元の高さへ戻す。
【００３０】
続いて、ガラス板７を所望の位置にスライドさせた後、再び、ハンドル３２を引いてガラス板７上にカッターチップ５２を滑らせてスクライブラインを入れる。
【００３１】
この操作を繰り返すことで、連続して一定の押しつけ圧力で複数のスクライブラインを入れることができる。
【００３２】
図１ではハンドル支持部材３１に突起部３３があるものを示したが、図５に示すように、ハンドル支持部材３１に溝を掘ってこの部分に鉄球３を載せ、ハンドル３２の回転をよりスムーズにするような仕組みとしても良い。
【００３３】
ハンドル３２とハンドル支持部材３１の形状に関しては、本説明に限らず、回転によって台盤８との距離が変えられる構造になっていればどのような形状でも良い。
【００３４】
また、本発明ではバネ４でカッターヘッド５１を押す際、こすれ防止の意味合いで、ワッシャ５を介して圧力が加わるような仕組みを図示しているが、必ずしもワッシャ５は必須では無く、直接カッターヘッド５１を押す仕組みであっても良いし、ローレットナット２１のこすれ防止のためにバネ４のローレットナット２１側にワッシャ５を入れても構わない。
【００３５】
以上述べたように、本発明は、カッターヘッド５１をガラス板７に対して一定の圧力で押しつける機能を持つ上に、ガラス切り工具のハンドル３２から手を離すこと無く、カッターチップ５２をガラス表面から上方へ逃げる機構を有し、引き続きカッターチップ５２を下ろしてスクライブラインを入れることのできるガラス切り工具を提供するものである。これにより作業効率を落とすこと無く連続してガラス板７にスクライブラインを入れることができ、効率よくガラス板７のカットができる。
【符号の説明】
【００３６】
３  鉄球
４  バネ
５  ワッシャ
７  ガラス板
８  台盤
２１  ローレットナット
２２  中空ネジ
３１  ハンドル支持部材
３２  ハンドル
３３  突起部
５１  カッターヘッド
５２  カッターチップ
６１  カッターヘッド支持軸
６２  支持軸ツバ
【手続補正２】
【補正対象書類名】特許請求の範囲
【補正対象項目名】全文
【補正方法】変更
【補正の内容】
【特許請求の範囲】
【請求項１】
カッターチップを対象物に対して一定の圧力で押しつけることのできる手動のガラス切り工具であって、前記カッターチップがカッターヘッドに保持されており、前記カッターヘッドを移動させるためのハンドルを有し、前記ハンドルと前記カッターヘッドとが支持軸ツバを有するカッターヘッド支持軸と軸受けにより接続されていることを特徴とするガラス切り工具
【請求項２】
前記ハンドルを回転させることにより前記カッターチップと台盤との距離を変えられることを特徴とする請求項１記載のガラス切り工具
【請求項３】
ハンドル支持部材を有し、前記ハンドル支持部材と前記ハンドルとの接地部と前記台盤との距離が、前記ハンドルの回転により変えられることを特徴とする請求項２に記載のガラス切り工具
【手続補正書】
【提出日】令和1年9月20日(2019.9.20)
【手続補正１】
【補正対象書類名】明細書
【補正対象項目名】全文
【補正方法】変更
【補正の内容】
【発明の詳細な説明】
【技術分野】
【０００１】
本発明は、ガラス切り工具に関する。
【背景技術】
【０００２】
ガラス切りは様々な分野で使われているが、工業生産的な分野以外ではガラス切り装置では無くガラス切り工具が便利である。
【０００３】
これらガラス切り工具は工芸用途や研究用途など使われる範囲は幅広い。ペン型の物が主流であるが、研究用途で所望の寸法にカットする場合にはカット精度が悪く、使い勝手も悪い。
【０００４】
ガラスを切る際にはガラスの材質や厚みに対して適切な圧力をカッターチップに加え、一定のスクライブラインを形成する必要があるが、ペン型の場合この圧力は、人間が自分の力加減で調整するため熟練が必要で個人差も大きい。スクライブラインの形成が不良であると、この後の破断の工程でスクライブライン通りに割れず、失敗してしまうことがある。
【０００５】
また、非特許文献１のような研究用ガラス切りは販売されているが、切るガラスの厚みや種類に合わせて、カッターチップをガラスに押しつける圧力を調整する仕組みは持っていない。
【０００６】
空気圧やバネ等を用いてカッターチップをガラスに押しつける圧力を一定にすることは比較的容易である。
【０００７】
一方、スクライブの際、カッターチップは必ずガラスに接触する必要があることから、スクライブラインを入れた後、一旦ガラスを取り除かないとカッターチップを元の位置に戻すことができない。従って、ガラスをずらすだけでスクライブラインを続けて入れることが出来ず、作業効率が悪い。
【０００８】
つまり、ガラスに連続して複数のスクライブラインを入れようとすると、カッターチップでスクライブラインを入れた後、カッターチップを切断開始位置へ戻す際に一旦カッターチップがガラス表面から上方へ逃げる仕組みが必要となり、全体の構造が複雑化し、コストアップの要因となっていた。
【０００９】
このため安価な手動式のガラス切り工具で、機械的に一定の押しつけ圧力をカッターチップに加える仕組みを持ち、かつ、上方へ逃げる仕組みを持つガラス切り工具はこれまで無かった。
【先行技術文献】
【非特許文献】
【００１０】
【非特許文献１】科学機器総合カタログ研究・実験・検査用２０１６−２０１７，東京硝子器械株式会社，ｐ．５４７
【発明の概要】
【発明が解決しようとする課題】
【００１１】
以上のように、バネ等により一定の圧力を加えてガラスを切る手動の安価なガラス切り工具では、連続してスクライブラインを入れる際、その都度ガラスを一旦台盤から外す必要があり、作業効率が悪かった。
【００１２】
本発明は上記に鑑みてなされた物であり、バネ等により一定の圧力を加えてガラスを切る手動の安価なガラス切り工具において、ガラス切り工具のハンドルから手を離すこと無く、カッターチップをガラス表面から上方へ逃げる機構を有し、引き続きカッターチップを下ろしてスクライブラインを入れることのできるガラス切り工具を提供するものである。これにより作業効率を落とすこと無く連続してガラスにスクライブラインを入れることができる。
【課題を解決するための手段】
【００１３】
上記課題を解決するために請求項１の発明は、カッターチップを対象物に対して一定の圧力で押しつけることのできる手動のガラス切り工具であって、前記カッターチップがカッターヘッドに保持されており、前記カッターヘッドを移動させるためのハンドルを有し、前記ハンドルと前記カッターヘッドとが支持軸ツバを有するカッターヘッド支持軸と軸受けにより接続されており、前記ハンドルを回転させることにより前記カッターチップと台盤との距離を変えられることを特徴とするガラス切り工具である。
【００１４】
請求項２の発明は、ハンドル支持部材を有し、前記ハンドル支持部材と前記ハンドルとの接地部と前記台盤との距離が、前記ハンドルの回転により変えられることを特徴とする請求項１に記載のガラス切り工具である。
【発明の効果】
【００１５】
本発明によるガラス切り工具を用いれば、カッターチップを対象物に対して押しつける圧力を一定にでき、かつ、ハンドルを回転させることにより容易にカッターチップをガラス面の上方へ移動させることが出来る。したがって、ガラスを取り外すこと無くカッターチップをスクライブ開始位置まで移動させることができ、連続したスクライブラインを入れることができる。
【図面の簡単な説明】
【００１６】
【図１】本発明によるガラス切り工具を示す部分断面図である。
【図２】本発明によるガラス切り工具を示す部分断面図である。
【図３】本発明によるガラス切り工具のハンドル部を示す平面図である。
【図４】本発明によるガラス切り工具のハンドル部を示す平面図である。
【図５】本発明によるガラス切り工具を示す部分断面図である。
【発明を実施するための形態】
【００１７】
本発明の実施の形態を、以下図面を用いて説明する。
【００１８】
図１は本発明によるガラス切り工具を示す部分断面図である。
【００１９】
図1に示すように本発明によるガラス切り工具はハンドル３２とカッターヘッド５１がカッターヘッド支持軸６１を介して接続されている。接続の方法としてカッターヘッド支持軸６１と一体である支持軸ツバ６２を軸受けでハンドルに接続する仕組みを取る。
【００２０】
このためハンドル３２はカッターヘッド支持軸６１を中心として回転可能な構造となる。
【００２１】
ハンドル３２を上方から見た平面図が図３である。この状態から９０度回転させた状態が図４である。
【００２２】
図３では、ハンドル３２が、ハンドル支持部材３１の台盤８に近い位置に設置しているが、図４ではハンドル３２が突起部３３に乗り上げた状態となり、台盤８から遠い位置に設置している。
【００２３】
この状態を横から見たものが図２に示す部分断面図である。ハンドル３２が突起部３３に乗り上げた分上方に移動し、これによって接続されているカッターヘッド５１が上方に移動することになる。
【００２４】
つまり、ハンドル３２を９０度回転させるとカッターヘッド５１が突起部３３の高さ分上方へ移動するのである。
【００２５】
このことによって、カッターヘッド５１はガラス板７のスクライブ位置から上方へ離れ、ガラス板７を取り除かなくともスクライブ開始位置まで移動させることが出来る。
【００２６】
本発明では、カッターヘッド５１の押しつけ圧力はバネ４で調整する仕組みとなっている。押しつけ圧力を強くしたい場合にはローレットナット３１を回してバネを縮めれば良い。
【００２７】
ガラスカットの手順としては、まず、適度に調整されたバネ圧とカッターヘッド高さの状態で、ハンドル３２を引いてガラス板７上にカッターチップ５２を滑らせてスクライブラインを入れる。
【００２８】
次に、ハンドル３２を９０度回転させカッターヘッド５１を上方へ移動させて、スクライブ開始位置まで戻してからハンドル３２を元の方向に９０度戻して、カッターヘッド５１を元の高さへ戻す。
【００２９】
続いて、ガラス板７を所望の位置にスライドさせた後、再び、ハンドル３２を引いてガラス板７上にカッターチップ５２を滑らせてスクライブラインを入れる。
【００３０】
この操作を繰り返すことで、連続して一定の押しつけ圧力で複数のスクライブラインを入れることができる。
【００３１】
図１ではハンドル支持部材３１に突起部３３があるものを示したが、図５に示すように、ハンドル支持部材３１に溝を掘ってこの部分に鉄球３を載せ、ハンドル３２の回転をよりスムーズにするような仕組みとしても良い。
【００３２】
ハンドル３２とハンドル支持部材３１の形状に関しては、本説明に限らず、回転によって台盤８との距離が変えられる構造になっていればどのような形状でも良い。
【００３３】
また、本発明ではバネ４でカッターヘッド５１を押す際、こすれ防止の意味合いで、ワッシャ５を介して圧力が加わるような仕組みを図示しているが、必ずしもワッシャ５は必須では無く、直接カッターヘッド５１を押す仕組みであっても良いし、ローレットナット２１のこすれ防止のためにバネ４のローレットナット２１側にワッシャ５を入れても構わない。
【００３４】
以上述べたように、本発明は、カッターヘッド５１をガラス板７に対して一定の圧力で押しつける機能を持つ上に、ガラス切り工具のハンドル３２から手を離すこと無く、カッターチップ５２をガラス表面から上方へ逃げる機構を有し、引き続きカッターチップ５２を下ろしてスクライブラインを入れることのできるガラス切り工具を提供するものである。これにより作業効率を落とすこと無く連続してガラス板７にスクライブラインを入れることができ、効率よくガラス板７のカットができる。
【符号の説明】
【００３５】
３  鉄球
４  バネ
５  ワッシャ
７  ガラス板
８  台盤
２１  ローレットナット
２２  中空ネジ
３１  ハンドル支持部材
３２  ハンドル
３３  突起部
５１  カッターヘッド
５２  カッターチップ
６１  カッターヘッド支持軸
６２  支持軸ツバ
【手続補正２】
【補正対象書類名】特許請求の範囲
【補正対象項目名】全文
【補正方法】変更
【補正の内容】
【特許請求の範囲】
【請求項１】
カッターチップを対象物に対して一定の圧力で押しつけることのできる手動のガラス切り工具であって、前記カッターチップがカッターヘッドに保持されており、前記カッターヘッドを移動させるためのハンドルを有し、前記ハンドルと前記カッターヘッドとが支持軸ツバを有するカッターヘッド支持軸と軸受けにより接続されており、前記ハンドルを回転させることにより前記カッターチップと台盤との距離を変えられることを特徴とするガラス切り工具
【請求項２】
ハンドル支持部材を有し、前記ハンドル支持部材と前記ハンドルとの接地部と前記台盤との距離が、前記ハンドルの回転により変えられることを特徴とする請求項１に記載のガラス切り工具